(57)【要約】【課題】  専用のポートを設けないで１００Ｖ系と２００Ｖ系を認識することのできる画像形成装置を提供する。【解決手段】  両面用の再給紙ソレノイドの駆動回路を１００Ｖ系のＥＣＵはプルダウン、２００Ｖ系のＥＣＵではプルアップする。電源投入直後、再給紙ソレノイド駆動用のＣＰＵポートを入力ポートに切り換えてローレベルなら１００Ｖ系、ハイレベルなら２００Ｖ系と認識して、その後の定着制御を切り換える。【選択図】        図４
2005234310.tif 000002
【特許請求の範囲】
【請求項１】
画像形成部により片面に画像が形成されたシートを反転させる反転搬送部、
反転部から出てきたシートを再度前記画像形部に搬送する両面搬送部を持ち、
画像形成部により片面に画像が形成されたシートを反転搬送部で反転させて両面搬送路に送り、両面搬送部から再度前記画像形成部にシートを搬送してシート裏面の画像形成を行う画像形成装置において、
両面部搬送部でシートの搬送と停止を行うローラ対、
入力と出力を切り換えられる入出力部を持つ画像形成装置の制御部、
両面部搬送部でシートの搬送と停止を制御部からの信号で行うローラ対を備え、
電源投入直後、制御部はローラ対への出力部を入力機能に切り換えて、その電圧を読み取る。制御部は読み取った値に応じて、画像形成装置の制御を切り換えることを特徴とする画像形成装置。
【請求項２】
前記制御部は読み取った値に応じて商用電圧の地域を認識することを特徴とする請求項１に記載の画像形成装置。
【請求項３】
前記商用電圧の地域によって定着の制御を切り換えることを特徴とする請求項２に記載の画像形成装置。
【請求項４】
前記制御部は読み取った値に応じて高圧の制御を切り換えることを特徴とする請求項１に記載の画像形成装置。
【発明の詳細な説明】
【技術分野】
【０００１】
本発明は、シートの表裏に画像を形成することが可能なレーザプリンタ等の画像形成装置に関し、片面に画像が形成されたシートを反転させて画像形成部に搬送する両面搬送部のソレノイド駆動用回路に１００Ｖ系と２００Ｖを認識する機能を備えたものに関する。
【背景技術】
【０００２】
従来の画像形成装置においては、商用電源が１００Ｖ〜１２７Ｖの地域（以後１００Ｖ系と記す）と２００Ｖ〜２４０Ｖの地域（以後２００Ｖ系と記す）に販売する画像形成装置は定着制御が異なっていた。
【０００３】
後述するエンジンコントローラ１５は１００Ｖ〜１２７Ｖ地域のものか、２００Ｖ〜２４０Ｖ地域のものか認識するための専用の回路とポートを持っていた。
【０００４】
これにより、エンジンコントローラ１５は１００Ｖ系と２００Ｖ系を認識して以後の定着制御を変えていた（例えば、特許文献１参照）。
【特許文献１】特開平７−６４４３８号公報
【発明の開示】
【発明が解決しようとする課題】
【０００５】
しかしながら、専用の回路とポートを持つことはコストが高くなった。
【０００６】
そこで、本発明は、このような現状に鑑みてなされたものであり、反転用紙搬送ローラ対の回転と停止を行うソレノイド１２ａを駆動する回路に１００Ｖ系と２００Ｖ系を認識する機能を持たせることで専用の回路とポートを削除できる画像形成装置を提供することを目的とするものである。
【課題を解決するための手段】
【０００７】
上記課題を解決するため、本発明は、
画像形成部により片面に画像が形成されたシートを反転させる反転搬送部、反転部から出てきたシートを再度前記画像形部に搬送する両面搬送部を持ち、画像形成部により片面に画像が形成されたシートを反転搬送部で反転させて両面搬送路に送り、両面搬送部から再度前記画像形成部にシートを搬送してシート裏面の画像形成を行う画像形成装置において、両面部搬送部でシートの搬送と停止を行うローラ対、入力と出力を切り換えられる入出力部を持つ画像形成装置の制御部、両面部搬送部でシートの搬送と停止を制御部からの信号で行うローラ対を備え、電源投入直後、制御部はローラ対への出力部を入力機能に切り換えて、その電圧を読み取る。制御部は読み取った値に応じて、画像形成装置の制御を切り換えることを特徴とするものである。
【０００８】
さらに本発明は制御部で読み取った値に応じて商用電圧の地域を認識することを特徴とするものである。
【０００９】
さらに本発明は商用電圧の地域によって定着の制御を切り換えることを特徴とするものである。
【００１０】
さらに本発明は制御部は読み取った値に応じて高圧の制御を切り換えることを特徴とするものである。
【発明の効果】
【００１１】
以上説明した本発明によれば、１００Ｖ系と２００Ｖ系では反転用紙搬送ローラ対用ソレノイドを駆動する回路の形態を変え、エンジンコントローラ１４は電源投入時のＳＬの形態を検知する。そして、それ以後の画像形成装置の定着制御をかえることで、１００Ｖ系と２００Ｖ系を認識するための専用回路を削除できる画像生成装置を提供できる。
【発明を実施するための最良の形態】
【００１２】
以下に、本発明を実施するための最良の形態を、実施例に基づいて説明する。
【実施例１】
【００１３】
以下、本発明の実施例１の形態について図面を用いて説明する。
【００１４】
図１は本発明の第１の実施の形態に係る画像形成装置の一例であるレーザビームプリンタの概略構成を説明する図である。
【００１５】
同図において、１Ａはレーザビームプリンタであり、このレーザビームプリンタ１Ａはシートである用紙Ｐの片面に画像を形成する片面モードと、片面に画像が形成された用紙Ｐの裏面に画像を形成する両面モードとを有している。また、１はレーザビームプリンタ本体（以下、本体という）、２は両面搬送路Ｒ２を備えると共に本体１に着脱可能に取り付けられた両面搬送部、３は用紙Ｐを収納するペーパーカセットである。
【００１６】
そして、このペーパーカセット３に収納された用紙Ｐは、カセット給紙ローラ３ａ及び搬送ローラ対３ｂの駆動により、矢印Ｌ１の方向へ給紙され、この後搬送ローラ対３ｃの駆動により矢印Ｌ２の方向へ搬送される。
【００１７】
また、４はレーザスキャナユニットであり、後述するホストコンピュータ等からの画像データに基づいてレーザ光をラスタスキャニングし、あらかじめ帯電器５ｂにより帯電されている感光体ドラム５ａ上に、折り返しミラー４ａによって静電潜像を形成するものである。なお、感光体ドラム５ａに形成された静電潜像は現像器５ｃでトナー現像された後、転写部５ｄにおいて、搬送ローラ対３ｃにより搬送された用紙Ｐに転写されるようになっている。
【００１８】
さらに、この用紙Ｐ上に転写されたトナー像は、熱定着装置６により用紙Ｐに定着されるようになっている。なお、この熱定着装置６は、不図示の加熱体及び加熱体の温度を検知するサーミスタ等によって構成され、転写プロセスの終了した用紙Ｐに、熱と圧力を加えてトナー像を用紙Ｐに定着させるように構成されている。
【００１９】
また、７は搬送手段である排紙ローラ対であり、この排紙ローラ対７により熱定着装置６を通過した用紙Ｐは第２排紙部であるフェースアップトレイ８、或は本体２の上面に設けられた第１排紙部であるフェースダウン排紙部９へ排出されるようになっている。ここで、フェースアップトレイ８は、本体１に開閉可能に設けられたものであり、用紙Ｐをフェースアップの状態で排出する場合には、このフェースアップトレイ８を図１に示すように開くようになっている。
【００２０】
一方、用紙Ｐをフェースダウンの状態で排出する場合には、同図の破線で示すようにフェースアップトレイ８を閉じるようにしている。そして、このようにフェースアップトレイ８を閉じることにより、用紙Ｐをフェースダウン排紙部９に搬送するための搬送路が確保され、フェースダウン排紙ローラ対（以下、ＦＤ排紙ローラ対という）１０の矢印ａ方向の駆動により用紙Ｐをフェースダウン排紙部９へ排出することができるようになっている。
【００２１】
また、両面印字の際には、フェースアップトレイ８を閉じると共に、ＦＤ排紙ローラ対１０を所定時間正回転させて用紙をフェースダウン排紙部９の方向へ搬送した後、ＦＤ排紙ローラ対１０を逆回転させ、両面搬送部２に向かわせるようにしている。
【００２２】
そして、このように両面搬送部２に向った用紙Ｐは、反転用紙誘導ローラ対１１により両面搬送路Ｒ２へ搬送され、さらにこの両面搬送路Ｒ２に搬送された用紙Ｐは、反転用紙搬送ローラ対１２により矢印Ｌ４の方向へ搬送された後、反転用紙再給紙ローラ対１３の手前にて停止され、両面印字の２面目（裏面）用の用紙として再給紙されるまで待機するようになっている。
【００２３】
ここで、Ｓ６は両面搬送部２に設けられた再給紙センサであり、この再給紙センサＳ６は、両面搬送路Ｒ２に搬送された用紙Ｐが所定の再給紙位置に到達したことを検知すると、検知信号を、後述する図２に示す制御手段であるエンジンコントローラ部１４に出力するようにしている。
【００２４】
そして、エンジンコントローラ部１４は、この再給紙センサＳ６からの検知信号に基づき反転用紙搬送ローラ対１２を停止させて用紙Ｐを所定の再給紙位置で待機させ、この後所定のタイミングで反転用紙再給紙ローラ対１３を駆動するようにしている。これにより、両面搬送路Ｒに待機している用紙Ｐは、搬送ローラ対３ｃを経て画像形成部５に再給紙された後、前述したペーパーカセット３からの印字動作と同様の搬送路にて両面印字の２面目（裏面）の印字動作が行われ、この後フェースダウン排紙部９に排出される。
【００２５】
なお、同図において、Ｓ１はペーパーカセット３の用紙Ｐの有無を検知する用紙センサ、Ｓ２は搬送ローラ対３ｃの駆動により搬送された用紙Ｐの先端と後端を検知する給紙センサであり、この給紙センサＳ２からの検知信号に基づきエンジンコントローラ部１４は画像書込タイミングを判断するようになっている。
【００２６】
また、Ｓ５は用紙が両面搬送路Ｒへ搬送されたタイミング及び用紙の先端と後端を検知する反転用紙導入検知センサである。
【００２７】
さらに、Ｓ３はフェースアップトレイ８と画像形成部５との間に設けられ、用紙Ｐが熱定着装置６を通過したことを検知する排紙センサである。
【００２８】
図２は、以上の一連の印字動作を制御するプリンタコントローラ部のブロック図であり、このプリンタコントローラ部は、主にエンジンコントローラ部１４及び画像コントローラ部１５から構成されている。
【００２９】
ここで、画像コントローラ部１５は不図示の外部インターフェースを介してホストコンピュータ１７等からコード化された画像情報（コードデータ）を受信した後、コードデータをドットイメージのビデオデータに変換すると共に、不図示のビデオインターフェースを介してエンジンコントローラ部１４に印字指令を送出し、エンジンコントローラ部１４からの主走査、副走査同期信号に同期して、ビデオデータを順次エンジンコントローラ部１４に送出するように構成されたものである。
【００３０】
また、エンジンコントローラ部１４は、反転用紙搬送ローラ対１２、各搬送ローラ対等の各ローラの駆動、反転用紙導入検知センサＳ５、再給紙センサＳ６及び他のセンサからの入力を監視することにより、レーザスキャナユニット４、熱定着装置６等のプリンタエンジンを統括的にコントロールし、画像コントローラ部１５からのビデオデータを用紙に印字するためのものである。
【００３１】
図３ａ，図３ｂは反転用紙搬送ローラ対１２の回転と停止を行うソレノイド１２ａを駆動する部分の回路である。
【００３２】
Ｑ１は反転用紙搬送ローラ対１２用のソレノイド１２ａを駆動する駆動トランジスタ、Ｑ２はＱ１を駆動するためのトランジスタである。
【００３３】
図３ａと図３ｂにおいて、エンジンコントローラ部１４はポートＳＬにｈｉｇｈを出力するとＱ２はオンしてＱ１はオフしてソレノイド１２ａには電圧は印加されずに反転用紙搬送ローラ対は停止している。次にエンジンコントローラ部１４がポートＳＬにＬｏｗを出力するとＱ２はオフしてＱ１はオンしてソレノイド１２ａには電圧は印加されて反転用紙搬送ローラ対は回転する。
【００３４】
次に、本発明におけるエンジンコントローラの制御動作を図４に示すフローチャートを用いて説明する。
【００３５】
電源が投入されるとエンジンコントローラ部１４はポートＳＬを入力ポートにして、その電圧を検知する（Ｓ２０１〜Ｓ２０２）。
【００３６】
ＳＬがＨｉｇｈレベルであれば、２００Ｖ系と認識する。そして、それ以後、２００Ｖ系の定着制御を行う（Ｓ２０３〜Ｓ２０５）。
【００３７】
ＳＬがＬｏｗレベルであれば、１００Ｖ系と認識する。そして、それ以後、１００Ｖ系の定着制御を行う（Ｓ２０３、Ｓ２０６、Ｓ２０７）。
【００３８】
ここでは、便宜上、ＣＳ＝ｈｉｇｈを２００Ｖ系、ＣＳ＝Ｌｏｗを１００Ｖ系として説明したが、どちらが１００Ｖ系でもかまわない。
【００３９】
以上のように、本実施形態では１００Ｖ系と２００Ｖ系では反転用紙搬送ローラ対用ソレノイドを駆動する回路の形態を変え、エンジンコントローラ１４は電源投入時のＳＬの形態を検知する。そして、それ以後の画像形成装置の定着制御をかえることで、１００Ｖ系と２００Ｖ系を認識するための専用回路を削除できる。
【図面の簡単な説明】
【００４０】
【図１】本発明の実施の形態に係る画像形成装置の一例であるレーザビームプリンタの概略構成を説明する図
【図２】上記レーザビームプリンタの制御ブロック図
【図３ａ】上記レーザビームプリンタのソレノイド駆動回路
【図３ｂ】上記レーザビームプリンタのソレノイド駆動回路
【図４】上記レーザビームプリンタにおけるタイミングチャート
【符号の説明】
【００４１】
１Ａ  レーザビームプリンタ
１  レーザビームプリンタ本体
２  両面搬送部
３  ペーパーカセット
３ａ  カセット給紙ローラ
３ｂ、３ｃ  搬送ローラ対
４  レーザスキャナユニット
４ａ  折り返しミラー
５  画像形成部
５ａ  感光体ドラム
５ｂ  帯電器
５ｃ  現像器
５ｄ  転写部
６  熱定着装置
７  排紙ローラ対
８  フェースアップトレイ
９  フェースダウン排紙部
１０  ＦＤ排紙ローラ対
１１  反転用紙誘導ローラ対
１２  反転用紙搬送ローラ対
１３  反転用紙再給紙ローラ対
１４  エンジンコントローラ部
１５  画像コントローラ部
１７  ホストコンピュータ
１９  フラグ
２０  タイマ
Ｐ  用紙
Ｓ１  用紙センサ
Ｓ２  給紙センサ
Ｓ３  排紙センサ
Ｓ５  反転用紙導入検知センサ
Ｓ６  再給紙センサ
Ｓ７  満載センサ
Ｒ１  排紙通路
Ｒ２  両面搬送路
【図１】
2005234310.tif 000003
【図２】
2005234310.tif 000004
【図３ａ】
2005234310.tif 000005
【図３ｂ】
2005234310.tif 000006
【図４】
2005234310.tif 000007